(57)【要約】      （修正有）【課題】タッチパネル表面の光触媒膜に紫外光照射して光触媒効果増幅させてその汚れ除去を行う場合、利用者に有害な紫外光照射が確実に行われないようにし、かつタッチパネル表面の汚れ除去を確実に行う。【解決手段】液晶表示部と、液晶表示部の前面に設けられたタッチパネルと、液晶表示部の背後に設けられ端部から入射した光を液晶表示部に導光する導光板と、この導光板の端部に配置され該端部に照明光を入射させるバックライトとを備え、タッチパネル表面に光触媒膜を被膜し該光触媒膜に紫外光を照射して当該タッチパネル表面の汚れを除去可能となしたタッチパネル表示器において、紫外光を出射するため上記導光板端部に並設されたブラックライトと、ブラックライトの点灯・消灯を制御する制御装置とを備え、制御装置は、バックライトの点灯中はブラックライトの点灯を停止し、バックライトが消灯に切り替わって所定時間経過後にブラックライトを点灯する。【選択図】図２
2008197861.tif 000002
【特許請求の範囲】
【請求項１】
液晶表示部と、液晶表示部の前面に設けられたタッチパネルと、液晶表示部の背後に設けられ該液晶表示部に光を直接、間接に入射させるバックライトとを備え、タッチパネル表面に光触媒膜を被膜し該光触媒膜に光を照射可能となしたタッチパネル表示器において、紫外光を出射するもので上記液晶表示部の背後から紫外光を直接、間接に入射可能に配置されたブラックライトと、ブラックライトの点灯および消灯を制御する制御装置と、を備え、上記制御装置は、バックライトが点灯する点灯期間中はブラックライトの点灯を停止制御し、バックライトが点灯から消灯に切り替わってから所定時間の経過後にブラックライトを点灯制御する、ことを特徴とするタッチパネル表示器。
【請求項２】
上記液晶表示部の背後に設けられ端部から入射した光を液晶表示部に導光する導光板を備えると共に、
この導光板の端部に上記バックライトとブラックライトとを並設配置した、ことを特徴とする請求項１に記載のタッチパネル表示器。
【請求項３】
タッチパネル前方から一定距離範囲内に人体の存在を検知すると人体検知信号を出力する人体検知センサ、を備え、上記制御装置は、上記ブラックライトが点灯していても上記人体検知センサから人体検知信号が入力すると強制的に該ブラックライトを消灯に切り替え制御する、ことを特徴とする請求項１また２に記載のタッチパネル表示器。
【請求項４】
上記制御装置は、ブラックライトを一定時間点灯制御する一方、上記人体検知信号の入力によりブラックライトを強制的に消灯制御すると共に該人体検知信号が入力されなくなってからも所定時間が経過するまではブラックライトの消灯状態を維持し、所定時間が経過した後はブラックライトを上記一定時間に対して上記経過した後の残りの時間点灯制御する、ことを特徴とする請求項３に記載のタッチパネル表示器。
【発明の詳細な説明】
【技術分野】
【０００１】
本発明は、液晶表示部と、液晶表示部の前面に設けられたタッチパネルと、液晶表示部の背後に設けられ端部から入射した光を液晶表示部に導光する導光板と、この導光板の端部に配置され該端部に光を入射させるバックライトとを備え、タッチパネル表面に光触媒膜を被膜し該光触媒膜に光を照射して当該タッチパネル表面の汚れを除去可能となしたタッチパネル表示器に関する。
【背景技術】
【０００２】
光触媒膜は、酸化チタンからなる膜であり、紫外光が照射されると酸化チタンに付着した汚れ（有機物）や臭気粒子を空気中の酸素と結合させて炭酸ガスや水に変える機能を有する。そのため光触媒膜を蛍光ランプ等の表面にコーティングすることが行われている。
【０００３】
本出願人は、タッチパネル表示器のタッチパネルは利用者の手指操作で汚れるのでこの光触媒膜をタッチパネル表示画面に設けることを考えた。しかしながら、光触媒膜の光触媒効果増幅のために紫外光を照射させる場合、利用者に有害な紫外光を照射させないことが望ましい。そこで本出願人は鋭意研究した結果、本発明を完成させることができるに至った。
【０００４】
なお、タッチパネル表示器においてそのタッチパネル表示画面に光触媒膜を設けた技術は特開２００４−１１８７４７号公報に開示されているが、紫外光照射ではなく可視光照射であり、本発明の課題はない。
【特許文献１】特開２００４−１１８７４７号公報
【発明の開示】
【発明が解決しようとする課題】
【０００５】
本発明により解決すべき課題は、タッチパネル表面の光触媒膜に紫外光照射して光触媒効果増幅させてその汚れ除去を行う場合、利用者に有害な紫外光照射が確実に行われないようにし、同時に、タッチパネル表面の汚れ除去を確実に行うことを可能とすることにある。
【課題を解決するための手段】
【０００６】
本発明によるタッチパネル表示器は、液晶表示部と、液晶表示部の前面に設けられたタッチパネルと、液晶表示部の背後に設けられ該液晶表示部に光を直接、間接に入射させるバックライトとを備え、タッチパネル表面に光触媒膜を被膜し該光触媒膜に光を照射可能となしたタッチパネル表示器において、紫外光を出射するもので上記液晶表示部の背後から紫外光を直接、間接に入射可能に配置されたブラックライトと、ブラックライトの点灯および消灯を制御する制御装置と、を備え、上記制御装置は、バックライトが点灯する点灯期間中はブラックライトの点灯を停止制御し、バックライトが点灯から消灯に切り替わってから所定時間の経過後にブラックライトを点灯制御することを特徴とするものである。
【０００７】
上記液晶表示部は液晶表示部に光を導光板を介して間接に入射するエッジライト方式に限定されず液晶表示部に光を直接に入射する直下方式も含むことができる。
【０００８】
本発明の好ましい態様として、上記液晶表示部の背後に端部から入射した光を液晶表示部に導光する導光板を配置すると共に、この導光板の端部に上記バックライトとブラックライトとを並設配置し液晶表示部に対して導光板を介してバックライト、ブラックライトから選択的に通常の可視光、紫外光を照射可能とすることである。
【０００９】
本発明の好ましい態様として、上記液晶表示部の背後にバックライトとブラックライトとを並設配置し導光板無しで、直接、液晶表示部にバックライト、ブラックライトから選択的に通常の可視光、紫外光を照射可能とすることである。
【００１０】
本発明によると、ブラックライトをバックライトとを液晶表示部に対していずれからもバックライトからは可視光、ブラックライトからは紫外光を照射可能に配置したので、ブラックライトからタッチパネル表面の光触媒膜に紫外光を確実に照射させ光触媒膜を光触媒効果を活性増幅させることができる。また、バックライトが点灯する点灯期間中はブラックライトの点灯を停止制御するので、利用者は紫外光を浴びることがない。
【００１１】
本発明の好ましい態様は、タッチパネル前方から一定距離範囲内に人体の存在を検知すると人体検知信号を出力する人体検知センサ、を備え、上記制御装置は、上記ブラックライトが点灯していても上記人体検知センサから人体検知信号が入力すると強制的に該ブラックライトを消灯に切り替え制御することである。
【００１２】
上記好ましい態様では、バックライトが点灯から消灯に切り替わってから所定時間の経過後にブラックライトを点灯制御するので、利用者はタッチパネル表示器の操作後にブラックライトが即座に点灯しないので紫外光を浴びるおそれがない。
【００１３】
本発明のより好ましい態様は、上記制御装置は、ブラックライトを一定時間点灯制御する一方、上記人体検知信号の入力によりブラックライトを強制的に消灯制御すると共に該人体検知信号が入力されなくなってからも所定時間が経過するまではブラックライトの消灯状態を維持し、所定時間が経過した後はブラックライトを上記一定時間に対して上記経過した後の残りの時間点灯制御することである。
【００１４】
上記より好ましい態様では、ブラックライトを例えばタッチパネル表示画面の汚れ除去に必要な一定時間のみ点灯するので効率的であると共に、ブラックライトが点灯後一定時間経過するまでに上記人体検知センサから人体検知信号が入力すると強制的に該ブラックライトを消灯に切り替え制御するので、利用者は安心してタッチパネル表示器を操作することができ、かつ、人体検知信号が入力されなくなってから所定時間が経過するまではブラックライトの消灯状態を維持するので、利用者は退避時間を十分に確保することができ、また、僅かの移動で人体検知センサで人体検知信号が入力されなくなっても、再度、人体検知センサで利用者が検知されると即座にブラックライトが消灯するので利用者が紫外光を浴びるおそれがない。
【００１５】
そのうえ、また、ブラックライトはこのように点灯、消灯を繰り返しても、合計時間では一定時間点灯するのでタッチパネル表示画面の汚れ除去を行うことができる。
【発明の効果】
【００１６】
本発明によれば、タッチパネル表面の光触媒膜に対して利用者には紫外光の照射が行われず、かつ、タッチパネル表面の汚れ除去を確実に行うことができる。
【発明を実施するための最良の形態】
【００１７】
以下、添付した図面を参照して、本発明の実施の形態に係るタッチパネル表示器を説明すると、図１にそのタッチパネル表示器を内蔵した制御盤、駅券売機、ＡＴＭ等の電子機器と当該電子機器に取り付けた人体検知センサとを示す。図２にタッチパネル表示器の液晶表示部８とそれの駆動回路、図３にバックライトとブラックライトの点灯と消灯の制御の説明に用いるタイミングチャート、図４にバックライトが点灯してバックライトからの可視光が照射されている状態、図５にブラックライトが点灯してブラックライトからの紫外光が照射されている状態を示す。実施の形態では上記電子機器として例えば制御盤に適用している。
【００１８】
図１を参照して、制御盤２の前面にはタッチパネル表示器４が内蔵されている。制御盤２の上面には人体検知センサ６が配備されている。人体検知センサ６（後述するセンサ２０ｄ）は、タッチパネル表示器４前方から一定距離をハッチングで示すように検知範囲としその検知範囲内に人体が存在するとこれを検知して人体検知信号を出力し、その検知範囲内に人体が存在しなくなると人体検知信号の出力を停止するようになっている。この人体検知センサ６は例えば近接センサを好ましく用いることができるが、この近接センサに限定されない。
【００１９】
図２を参照して、上記タッチパネル表示器４は、液晶表示部８と、タッチパネル１０と、導光板１２と、光触媒膜１４と、バックライト１６と、ブラックライト１８と、制御装置２０とを備える。導光板１２は液晶表示部８の背後に設けられ端部から入射した光を液晶表示部８に導光するようになっている。バックライト１６とブラックライト１８は、導光板１２の端部に並置され該端部にそれぞれ照明光と紫外光を入射させるようになっている。光触媒膜１４は、タッチパネル１０の表面に被膜されている。なお、液晶表示部８は図示を略するが、液晶部の両側を一対のガラスで封止すると共にさらにその両側を偏光板で囲って構成されている。また、液晶表示部８やタッチパネル１０や導光板１２は周知されるので特に詳しい説明は略する。この液晶表示部８ではいわゆるエッジライト方式となっているが、いわゆる直下方式でも適用することができる。
【００２０】
制御装置２０は、制御盤からの制御情報の入力に応答して液晶表示部を駆動制御すると共に、タイマ信号や人体検知センサの人体検知信号等に応答してブラックライトの点灯と消灯を制御するようになっている。
【００２１】
以下に制御装置２０を詳しく説明すると、この制御装置２０は、制御の中枢である中央制御部２０ａと、この中央制御部２０ａにより制御されて液晶表示部８を駆動する液晶表示部駆動部２０ｂと、中央制御部２０ａによりタイマ動作を開始したりタイマ信号を中央制御部２０ａに出力したりするタイマ２０ｃと、中央制御部２０ａに人体検知信号を入力する上記人体検知センサ２０ｄ（図１のセンサ６）と、中央制御部２０ａにより制御されてバックライト１６を駆動するバックライト駆動部２０ｅと、中央制御部２０ａにより制御されてブラックライト１８を駆動するブラックライト駆動部２０ｆと、を備える。
【００２２】
図３ないし図５を参照して中央制御部２０ａの制御を説明する。中央制御部２０ａは図３に示すタイミングチャートに従い、ブラックライト１８の点灯、消灯を制御する。図３において、バックライト１６（照明用の冷陰極管）は通常使用期間（バックライト１６点灯期間：ＯＮ）、休止期間（バックライト１６消灯期間：ＯＦＦ）を繰替えしている。中央制御部２０ａは、バックライト１６の点灯期間中はブラックライト１８の点灯を停止に制御している（ブラックライト１８消灯：ＯＦＦ）。バックライト１６の点灯により図４で示すように可視光が導光板１２、液晶表示部８、タッチパネル１０を介して光触媒膜１４を照射するが、可視光であるので、光触媒膜１４の光触媒効果は低く、通常モードとなる。
【００２３】
中央制御部２０ａは、バックライト１６が時刻ｔ１で点灯から消灯に切り替わってから所定時間の経過後の時刻ｔ２でブラックライト１８を一定期間Ａ（時刻ｔ２−ｔ３）だけ点灯側に制御する。このブラックライト１８の点灯により図５で示すように紫外光が導光板１２、液晶表示部８、タッチパネル１０を介して光触媒膜１４を照射する。この場合、光触媒膜１４には紫外光が照射されるので、光触媒膜１４の光触媒効果は高く、光触媒効果増幅モードとなる。
【００２４】
また、中央制御部２０ａは、次に、バックライト１６が時刻ｔ４で点灯から消灯に切り替わってから所定時間の経過後の時刻ｔ５でブラックライト１８を点灯側に制御し、光触媒効果増幅モードとする。
【００２５】
そして、このブラックライト１８の点灯後から上記一定時間Ａが経過するまでの時刻ｔ６で人体検知センサから人体検知信号が入力すると、上記一定時間Ａが経過していなくても、時刻ｔ６で強制的にブラックライト１８を消灯に切り替え制御する。このときブラックライト１８の点灯し光触媒効果増幅モードの期間は時刻ｔ５−ｔ６の期間Ｂ（＜Ａ）である。
【００２６】
そして、中央制御部２０ａは、人体検知信号が入力されなくなる時刻ｔ７になっても、その時刻ｔ７から所定時間が経過するまではブラックライト１８の消灯状態を維持する。
【００２７】
そして、その所定時間が経過した時刻ｔ８になると、ブラックライト１８の点灯を再開して光触媒効果増幅モードとすると共にこのブラックライト１８の点灯を上記一定時間Ａに対して上記経過した時間Ｂの残りの時間Ｃが経過する時刻ｔ９まで点灯継続し、時刻ｔ９が経過すると消灯制御する。
【００２８】
以上の制御では、バックライト１６が点灯する点灯期間Ｄ，Ｅ，Ｆは通常モードとしてブラックライト１８の点灯を停止するので、利用者は紫外光を浴びることがない。また、バックライト１６が点灯から消灯に切り替わってから所定時間の経過後にブラックライト１８を一定期間点灯制御して光触媒効果増幅モードとするので、利用者はタッチパネル表示器４の操作後にブラックライト１８と即座に点灯しないので紫外光を浴びるおそれがない。また、ブラックライト１８は例えばタッチパネル表示画面の汚れ除去に必要な一定時間のみ点灯するので効率的である。さらに、ブラックライト１８が点灯後一定時間経過するまでに上記人体検知センサから人体検知信号が入力すると強制的に該ブラックライト１８を消灯に切り替え制御するので、利用者は安心してタッチパネル表示器４を操作することができる。さらに、人体検知信号が入力されなくなってから所定時間が経過するまではブラックライト１８の消灯状態を維持するので、利用者は退避時間を十分に確保することができ、また、僅かの移動で人体検知センサで人体検知信号が入力されなくなっても、再度、人体検知センサで利用者が検知されると即座にブラックライト１８が消灯するので利用者が紫外光を浴びるおそれがない。また、ブラックライト１８はこのように点灯、消灯を繰り返しても、合計時間では一定時間点灯するのでタッチパネル表示画面の汚れ除去を行うことができる。
【図面の簡単な説明】
【００２９】
【図１】図１はそのタッチパネル表示器を内蔵した制御盤、駅券売機、ＡＴＭ等の電子機器と当該電子機器に取り付けた人体検知センサとを示す図である。
【図２】図２はタッチパネル表示器の液晶表示部とそれの駆動回路とを示す図である。
【図３】図３はバックライトとブラックライトの点灯と消灯の制御の説明に用いるタイミングチャートである。
【図４】図４はバックライトが点灯してバックライトから可視光が照射されている状態を示す図である。
【図５】図５はブラックライトが点灯してブラックライトから紫外光が照射されている状態を示す図である。
【符号の説明】
【００３０】
２  制御盤
４  タッチパネル表示器
６  人体検知センサ（近接センサ）
８  液晶表示部
１０  タッチパネル
１２  導光板
１４  光触媒膜
１６  バックライト
１８  ブラックライト
２０  制御装置
【図１】
2008197861.tif 000003
【図２】
2008197861.tif 000004
【図３】
2008197861.tif 000005
【図４】
2008197861.tif 000006
【図５】
2008197861.tif 000007